(57)【要約】 【課題】  部品点数の削減と高速球払出しが可能で球詰まりが発生しない遊技機の球払出し装置を提供する。【解決手段】  球タンク１の底面に開口部６を設けて、この開口部６に筒状ガイド７を連設し、筒状ガイド７の内に水平回転可能な球払出しローター４を配設した。球払出しローター４には、水平回転する回転基板１３の外縁部に、球一個よりやや広い幅の球放出路１６が放射状に形成されているので、球払出しローター４を回転させることにより遠心力で球放出路１６から高速で球を放出することができる。なお、回転基板１３の外周縁に球抜き用の隙間４１を形成したうえに、回転基板１３の裏側に隙間４１を開閉可能な球受け弁５を配設したので、隙間を明けることにより球タンク１内の球を高速で抜くことができる。【選択図】    図１
2006061262.tif 000002
【特許請求の範囲】
【請求項１】
球タンクの底面に開口部を設けて、この開口部に、球誘導路を有する筒状ガイドを連設したうえに、この筒状ガイドの内に水平回転する球払出しローターを配設して、開口部に流れ込んだ球を球払出しローターの回転により前記球誘導路に高速で払い出すようにしたことを特徴とする遊技機の球払出し装置。
【請求項２】
球払出しローターは、水平回転する回転基板の外周縁に、球が一列となって通過する球放出路が、隔壁により放射状に形成されたものである請求項１に記載の球払出し装置。
【請求項３】
回転基板の底面を、軸心から外周縁に向けて下る山形状の湾曲面として、球が回転基板の外周縁に向けて流下するようにした請求項２に記載の遊技機の球払出し装置。
【請求項４】
隔壁の高さを球一段が通過可能な高さとして、この隔壁の上側に駆動用のギアを、回転基板と同心にして支持させた請求項２に記載の遊技機の球払出し装置。
【請求項５】
隔壁の下端に切込みを形成し、球誘導路の球取込み口を対向する側壁により設けたうえに、その一方の側壁の先端を前記切込み内まで延伸させて、払い出された球を確実に球誘導路に導くようにした請求項２に記載の遊技機の球払出し装置。
【請求項６】
球誘導路に、球計数装置を配設した請求項１に記載の遊技機の球払出し装置。
【請求項７】
球タンクの底面に設けた開口部の上方を、当該底面との間に球一段が流入可能な隙間を空けて球誘導ガイドで覆った請求項１に記載の遊技機の球払出し装置。
【請求項８】
球払出しローターの外周縁と筒状ガイドとの間に、球抜き用の隙間を形成したうえに、球払出しローターの裏側に、前記隙間を開閉可能な球受け弁を配設した請求項２に記載の遊技機の球払出し装置。
【請求項９】
球受け弁は、回転基板と同軸に支持されて上下にスライド可能な円盤を有し、当該円盤には、球受け用の環状部と、この環状部から軸心に向けて下る傾斜面と、その傾斜面の軸周りには球が下方に落下する球抜き口とが設けられている請求項８に記載の遊技機の球払出し装置。
【請求項１０】
環状部に摘み部を突設し、筒状ガイドの側面に長孔状の斜め隙間を設けて、前記摘み部をこの斜め隙間内を摺動させることにより、球受け弁を上下にスライド可能とした請求項９に記載の遊技機の球払出し装置。
【請求項１１】
斜め隙間の上端に水平隙間を設けて、この水平隙間に摘み部を位置させることにより、球受け弁を球払出しローターの裏側に当接させて、球抜き用の隙間を閉鎖するようにしたことを特徴とする請求項１０に記載の遊技機の球払出し装置。
【請求項１２】
球タンクの内部に、球不足を検知するための球検出装置を配置した請求項１に記載の遊技機の球払出し装置。
【発明の詳細な説明】
【技術分野】
【０００１】
本発明は、賞球を高速で払い出すことができる遊技機の球払出し装置に関するものである。
【背景技術】
【０００２】
パチンコ機の機構盤には、通常上部に球タンクが配設され、その下側には球タンクと逆方向に球を流下して整列させる球整列レールが連設され、さらにその先には下方に向けて蛇行する球誘導路が設けられている。そして、球誘導路には、例えば特許文献１に開示されているような球払出し装置が備えられている。当該開示に係るものは、球切回転体の回転により導入孔からのパチンコ球を落下孔に１個ずつ排出するようにしたものである。しかし、球払出し装置を球誘導路に設けたものは、球を一列に整理させる球整列レールを必要として、遊技盤裏側のスペースを広く取ることができず役物の大型化に対応できない。また、球切回転体を用いたものは、球の噛み込み速度が遅いので高速で球を払い出すことができず、よって今日の高速球払出しの要請にも対応することができない。また、球噛み異常により球詰まりが発生しやすいという問題がある。
【特許文献１】特許第３１６８１８２号公報  (図２)
【発明の開示】
【発明が解決しようとする課題】
【０００３】
本発明は上記した従来の問題点を解決して、球整列レールが不要で、球詰まりを発生させることなく高速で球を払出すことができる遊技機の球払出し装置を提供するためになされたものである。
【課題を解決するための手段】
【０００４】
上記の課題を解決するためになされた本発明の遊技機の球払出し装置は、球タンクの底面に開口部を設けて、この開口部に、球誘導路を有する筒状ガイドを連設したうえに、この筒状ガイドの内に水平回転する球払出しローターを配設して、開口部に流れ込んだ球を球払出しローターの回転により前記球誘導路に高速で払い出すようにしたことを特徴とするものである。
【０００５】
上記球払出しローターは、水平回転する回転基板の外周縁に、球が一列となって通過する球放出路が、隔壁により放射状に形成されたものとすることができ、回転基板の底面を、軸心から外周縁に向けて下る山形状の湾曲面として、球が回転基板の外周縁に向けて流下するようにすることができ、隔壁の高さを球一段が通過可能な高さとして、この隔壁の上側に駆動用のギアを、回転基板と同心にして支持させることができる。また、隔壁の下端に切込みを形成し、球誘導路の球取込み口を対向する側壁により設けたうえに、その一方の側壁の先端を前記切込み内まで延伸させて、払い出された球を確実に球誘導路に導くようにすることができ、この球誘導路に、球計数装置を配設することができる。
【０００６】
また、球タンクの底面に設けた開口部の上方を、前記底面との間に球一段が流入可能な隙間を空けて球誘導ガイドで覆うことができ、球払出しローターの外周縁と筒状ガイドとの間に、球抜き用の隙間を形成したうえに、球払出しローターの裏側に、前記隙間を開閉可能な球受け弁を配設することができるし、この球受け弁は、回転基板と同軸に支持されて上下にスライド可能な円盤を有し、当該円盤には、球受け用の環状部と、この環状部から軸心に向けて下る傾斜面と、その傾斜面の軸周りには球が下方に落下する球抜き口とが設けられたものとすることができる。さらに、環状部に摘み部を突設し、筒状ガイドの側面に長孔状の斜め隙間を設けて、前記摘み部をこの斜め隙間内を摺動させることにより、球受け弁を上下にスライド可能とすることができ、斜め隙間の上端に水平隙間を設けて、この水平隙間に摘み部を位置させることにより、球受け弁を球払出しローターの裏側に当接させて、球抜き用の隙間を閉鎖することができ、球タンクの内部に、球不足を検知するための球検出装置を配置することもできる。
【発明の効果】
【０００７】
本発明の遊技機の球払出し装置は、常時球払出しローター内に取り込んでいる大量の球を、球払出しローターの外周部に放射状に設けた球放出路から遠心力で放出するようにしたので、従来のものよりも高速で球を払い出すことができる。したがって、球整列レールを必要としないので、球タンク下方にスペースを確保して役物を大型化することができる。球の噛みあう部分がないので球噛みによる払出し停止トラブルがないなどの大きな効果を得ることができる。また、回転基板の外周縁に設けた隙間を球受け弁で塞ぐようにしたので、この球受け弁を下方に下げることによって高速で球の抜き出しを行うことができる。
【発明を実施するための最良の形態】
【０００８】
以下に、図面を参照しつつ本発明の好ましい実施形態を説明する。
図１は、本発明に係る遊技機の球払出し装置を示す正面断面図であって、図２〜５はその分解斜視図である。図において、１は球タンク、２は球タンク１の端部底面に設けた開口部６を上下に挟むようにして配設された球払出し装置、３は球払出し装置２から放出された球の球誘導路である。球払出し装置２は、球払出しローター４と、その下方の球受け弁５と、球払出しローター４を駆動するモーターＭとを主要部品とする。
【０００９】
〔球払出し装置の下部構造〕
まず、球払出し装置の開口部６より下方の構造について説明する（図１〜３）。
球タンク１の底面の開口部６には、円筒状の側面８ａを有する筒状ガイド上側７ａが球タンク１と一体に連設されている。この筒状ガイド上側７ａには、円筒状の側面８ｂを有する筒状ガイド下側７ｂが当接されて円筒部８を有する一体の筒状ガイド７を構成している。筒状ガイド７はその下端に球誘導路３に向けて傾斜する底面９を有している。円筒部８の内部には、球払出しローター４と球受け弁５とが、一本の支軸１１に回転自在に装着されている。支軸１１は下端が底面９に支持されている。球払出しローター４は、軸心Ｐ付近が高く外周に向けて末広がり状に低くなる山形状の湾曲面１２が形成された回転基板１３と、回転基板１３の外周部に形成された隔壁１４と、この隔壁１４の上端に回転基板１３と同心に支持された駆動ギア１５とからなる。
【００１０】
球払出しローター４の隔壁１４は、図６に示すように三角状に形成されて、その頂部が軸心Ｐに向けて複数配置されていて、それらの間は放射状の球放出路１６となっている。また、隔壁１４は、球一個分よりやや大きい幅と高さに形成してあるので、球が一列となって通過する。図示した球払出しローター４は１０本の球放出路１６を有しているので、球払出しローター４の一回転により１０個の球を放出することができる。
また、円筒部８には球誘導路３への球取込み口１７が設けてあるので、球払出しローター４から放出された球は、球取込み口１７から球誘導路３に払い出される。球誘導路３はガイド部材１８、１９により形成され、これらのガイド部材１８、１９に球計数装置２１が支持されている（図５）。
【００１１】
隔壁１４の下端には切込み２２が形成されている（図３）。そして、前記球取込み口１７は、回転基板１３の接線方向に向かって対向する側壁２３、２４により形成されている（図６）。内側の側壁２４は、その先端が前記切込み２２内まで延伸されており、払い出された球を球取込み口１７を経由して確実に球誘導路３に誘導することができる。
【００１２】
〔球払出し装置の上部構造〕
次いで、球払出し装置２の開口部６より上方の構造について説明する（図１、４、７、８）。
球払出しローター４の上部には、球を球払出しローター４に導入するための球誘導ガイド３１が玉タンク１に固定され、この球誘導ガイド３１とモーターＭを覆って、保護カバー３２が配設されている。保護カバー３２は、一端が先細りに形成され、他端にはモーターカバー３２ａが設けられている（図８）。また、保護カバー３２の上面は、山形且つ球タンク１の底面とは逆傾斜に形成されていて、保護カバー３２に載った球を左右および上流側に向けて落とすようにしてある。球誘導ガイド３１は、天井板３３と、天井板３３のほぼ中央部に下向きに突設され外周がラッパ状に縮径する球案内軸３４と、モーターギア３５の軸３６が装入される筒状部３７とを備えている（図４）。
【００１３】
そして、天井板３３と球タンク１底面との隙間は球一個分よりやや大きい高さとして、球案内軸３４の周囲に球流入路３８を形成してあるので、球は一段になって球流入路３８に流入し、次いで開口部６から球払出しローター４に高速で流れ込む。天井板３３の一端にはモーターＭが載置され、モーターＭのシャフトには、下方からモーターギア３５の軸３６が装着されている。小径のモーターギア３５は大径の駆動ギア１５と噛合しているので（図７）、モーターＭにより球払出しローター４を回転させることができる。この場合減速比が大きく取れるので、ギアトレインが一段で済み動力伝達効率がよい。なお、ギアに代えてＶベルト、タイミングベルトなどを用いることができるし、球払出しローター４をモーターＭのシャフトに軸着することもできる。
【００１４】
〔球抜き構造〕
次に、点検などで球タンク１内の球を抜く場合の球抜き構造について説明する（図１、２、３、６、９）。
図６に見るとおり、回転基板１３の外周縁は凹状に凹んでおり、円筒部８との間に球抜き用の隙間４１が形成されている。したがって、この隙間４１に障害が存在しない場合には、球は下方に落下するが、回転基板１３の下方には、隙間４１を開閉可能な球受け弁５が配設されている（図１）。この球受け弁５は、回転基板１３と同軸に支持されて上下にスライド可能な円盤４２を備え、当該円盤４２は、外周に球受け用の環状部４０を有し、この環状部４０から軸心Ｑに向けて下り傾斜面４３が形成され、軸心Ｑ周りには球が下方に落下する球抜き口４４が設けられている（図９）。また、円盤４２の外周には位置決め用の凹部７７が設けられ、円筒部８にはこの凹部７７に嵌め込まれて円盤４２の回転を位置決めする突起７８が設けられている。
【００１５】
そして、円盤４２の外縁の対向する位置には摘み部４５ａと支承部４５ｂが突設されている。筒状ガイド下側７ｂの側面８ｂの上端の対向する位置には、上下方向に傾斜する傾斜部４６ａとこれに逆傾斜する傾斜部４６ｂが形成され、それらの上端には、水平部４７ａ、４７ｂが形成されている（図３）。そして、図２に示すように、筒状ガイド上側７ａの側面８ａの下端には、前記傾斜部４６ａ、４６ｂ、水平部４７ａ、４７ｂに対向する傾斜部４８ａ（図示されていない）、４８ｂ、水平部４９ａ（図示されていない）、４９ｂが形成されている。筒状ガイド上側７ａと筒状ガイド下側７ｂとが当接されたときには、傾斜部４６ａ、４８ａ間、および傾斜部４６ｂ、４８ｂ間には、摘み部４５ａ、支承部４５ｂを挿入可能な長孔状の斜め隙間が形成されるようにしてある。また、水平部４７ａ、４９ａ間、および水平部４７ｂ、４９ｂ間には、同じく長孔状の水平隙間が形成されるようにしてある。したがって、摘み部４５ａ、支承部４５ｂをそれぞれ傾斜部４６ａ、４６ｂ上を摺動させることにより、球受け弁５を上下にスライドさせることができ、その摘み部４５ａ、支承部４５ｂを水平部４７ａ、４７ｂ上に位置させることによって、球受け弁５を球払出しローター４の裏側に当接させて、球抜き用の隙間４１を閉鎖することができる。そして球を抜くときは、球受け弁５を逆回転させれば、図１０に示すように、球受け弁５を下方にスライドさせて球を抜くことができる。
【００１６】
なお、球払出しローター４と球受け弁５とが軸着された支軸１１は、下端が下側ガイド部材７の傾斜底面９に固定され、上端が球誘導ガイド３１の球案内軸３４に固定されている。
【００１７】
以上のように構成されたものは、球タンク１内に送り込まれた球は球タンク１の下流側に流下し、開口部６のほぼ全方向から開口部６に流れ込むことができるので、球の供給遅れがない。回転基板１３上には多数の球が一段になって整列されているので、球払出しローター４を回転させると、球は放射状に形成された球放出路１６から遠心力により高速で払い出されることになる。したがって、従来のように球をいちいち噛み込んで送り出すことがないので、球の払出し速度を大幅に高速化できるうえに、球噛みなどのトラブルが発生することがない。また、球払出しローター４の上部を球誘導ガイド３１で覆ったので、球払出しローター４に掛かる重圧を小さくすることができ、よって、モーターＭを出力の小さい小型のものとすることができる。
また、球を抜く場合には、球受け弁５を下げるだけで球払出しローター４の全外周から球を抜くことができるので、極めて高速で球タンク１内の球を抜くことができ、作業の効率化を図ることができる。
【００１８】
なお、球タンク１内には、球不足となったときにこれを検知して球の補充を促すための球検出装置を配設するのが望ましい。
図１１〜１４に示す球検出装置は、球検出レバー５１と、光センサー５２とからなる。球検出レバー５１は、球タンク１の底面に設けた孔部５７より上方に突出可能な平板部５３と、光センサー５２の光ビームを遮断するシャッター部５４とを有し、球タンク１の底面裏側に設けたレバー軸５５に軸着されている。球タンク１内に球が存在するときは、図１３のように、球重量により平板部５３が押し下げられ、反対側のシャッター部５４が上昇されて光センサー５２の光ビームを遮断して球の存在を検知する。このとき平板部５３はレバー支承部５６により回動を制止されている。そして、球不足となったときには、図１４のように平板部５３が上方に跳ね上げられ、シャッター部５４が降下して、光ビームの遮断が解除されるので、球不足を検知して球払出装置の起動を停止したり、音声などで報知したりする。
【００１９】
図１５〜１７に示す球検出装置は、球検出レバー６１と光センサー６２とからなる。この球検出レバー６１は、球流入路３８に上方から臨んで垂下された球検出部６３と、シャッター部６４とを備え、球誘導ガイド３１に設けられたレバー軸６５に軸着されている。球流入路３８に球が存在するときは、図１６のように、球圧により球検出部６３が横に回動され、検出部６３に対してＬ字形に形成されたシャッター部６４が上昇されて光センサー６２の光ビームを遮断している。そして、球不足となったときには、図１７のように球検出部６３が逆方向に回動してシャッター部６４が降下し、光ビームの遮断が解除されるので、球不足を検出することができる。
【００２０】
図１８、１９に示す球検出装置は、発光用のＬＥＤ７１と受光用のフォトトランジスタ７２とからなり、これらが球流入路３８の球を挟んで対向して配置されている。したがって、球流入路３８に球があるときは、ＬＥＤ７１の光ビームが遮断されて球の存在を検知し、球流入路３８に球がなくなったときは、ＬＥＤ７１の光ビームがフォトトランジスタに達するので球不足となったことを検知することができる。
【００２１】
図２０〜２２に示す球検出装置は、保護カバー３２の裏面に螺着されたブラケット７５に二つの反射型光センサー７６が取り付けられたものである。球が球流入路３８にあるときは、図２１に示すように、球に当たった光ビームがその光センサー７６に反射されるので球の存在を検知する。球流入路３８に球がなくなったときは、図２２に示すように、球は反射されることなく通過してしまうので球不足となったことを検知することができる。
【００２２】
以上に説明したように、本発明の球払出し装置は、常時球払出しローター内に取り込んでいる多数の球を、球払出しローターに設けた放射状の球放出路から遠心力で放出する構造のものであるから、従来のものよりもはるかに高速で球を払い出すことができるという大きな利点を有する。
【図面の簡単な説明】
【００２３】
【図１】本発明の球払出し装置の正面断面図である。
【図２】球タンクの斜視図である。
【図３】球払出し装置の下部構造を示す分解斜視図である。
【図４】球払出し装置の上部構造を示す分解斜視図である。
【図５】球計数装置部の分解斜視図である。
【図６】球払出しローター部の平面図である。
【図７】駆動ギアとモーターギアの平面図である。
【図８】球タンクの平面図である。
【図９】球受け弁の平面図である。
【図１０】球抜き状態を示す球払出し装置の正面断面図である。
【図１１】球検出レバーが配設された球タンクの平面図である。
【図１２】球検出レバーを備えた球検出装置を示す平面図である。
【図１３】球が存在するときの図１２の球検出装置を示す正面断面図である。
【図１４】球切れ状態にある図１２の球検出装置を示す正面断面図である。
【図１５】球検出レバーを球誘導ガイドに設けた球検出装置の平面図である。
【図１６】球が存在するときの図１５の球検出装置を示す正面断面図である。
【図１７】球切れ状態にある図１５の球検出装置を示す正面断面図である。
【図１８】ＬＥＤとフォトトランジスタとからなる球検出装置を示す平面図である。
【図１９】図１８の球検出装置の正面断面図である。
【図２０】反射型光センサーよりなる球検出装置を示す正面断面図である。
【図２１】図２０に示す球検出装置の側面図である
【図２２】球切れ状態にある図２０の球検出装置を示す正面断面図である。
【符号の説明】
【００２４】
１  球タンク
２  球払出し装置
３  球誘導路
４  球払出しローター
５  球受け弁
６  開口部
７  筒状ガイド
８  円筒部
９  底面
１１  支軸
１２  山形状の湾曲面
１３  回転基板
１４  隔壁
１５  駆動ギア
１６  球放出路
１７  球取込み口
１８、１９  ガイド部材
２１  球計数装置
２２  切込み
２３、２４  側壁
３１  球誘導ガイド
３２  保護カバー
３３  天井板
３４  球案内軸
３５  モーターギア
３６  モーターギアの軸  
３７  筒状部  
３８  球流入路
４０  環状部
４１  隙間
４２  円盤
４３  傾斜面
４４  球抜き口
４５ａ  摘み部
４５ｂ  支承部
４６ａ、４６ｂ  傾斜部
４７ａ、４７ｂ  水平部
４８ａ、４８ｂ  傾斜部
４９ａ、４９ｂ  水平部
５１  球検出レバー
５２  光センサー
５３  平板部
５４  シャッター部
５５  レバー軸
５６  レバー支承部
６１  球検出レバー
６２  光センサー
６３  球検出部
６４  シャッター部
６５  レバー軸
７１  ＬＥＤ
７２  フォトトランジスタ
７５  ブラケット
７６  反射型光センサー
７７  凹部
７８  突起
【図１】
2006061262.tif 000003
【図２】
2006061262.tif 000004
【図３】
2006061262.tif 000005
【図４】
2006061262.tif 000006
【図５】
2006061262.tif 000007
【図６】
2006061262.tif 000008
【図７】
2006061262.tif 000009
【図８】
2006061262.tif 000010
【図９】
2006061262.tif 000011
【図１０】
2006061262.tif 000012
【図１１】
2006061262.tif 000013
【図１２】
2006061262.tif 000014
【図１３】
2006061262.tif 000015
【図１４】
2006061262.tif 000016
【図１５】
2006061262.tif 000017
【図１６】
2006061262.tif 000018
【図１７】
2006061262.tif 000019
【図１８】
2006061262.tif 000020
【図１９】
2006061262.tif 000021
【図２０】
2006061262.tif 000022
【図２１】
2006061262.tif 000023
【図２２】
2006061262.tif 000024